(57)【要約】【課題】花粉やウィルスなどの吸引等を効果的に防止しつつ、スムーズな呼吸をしやす苦、また、蒸れたりもしにくいマスクを提供する。【解決手段】フィルタ機能を有するマスクは、外側シート１１１と、内側シート１１２とが袋状に形成され、上記外側シート１１１、および内側シート１１２の少なくとも一部が通気性を有するとともに、上記内側シート１１２に、上記袋状の内部と連通するマスク用ノーズアダプタ１２０が接続される開口部１１４が形成されている。【選択図】図５
2014111193.tif 000002
【特許請求の範囲】
【請求項１】
フィルタ機能を有するマスクであって、
外側シートと、内側シートとが袋状に形成され、
上記外側シート、および内側シートの少なくとも一部が通気性を有するとともに、
上記内側シートに、上記袋状の内部と連通するノーズアダプタが接続される開口部が形成されていることを特徴とするマスク。
【請求項２】
請求項１のマスクであって、
上記内側シートは、マスクの装着時に上記開口部の上下に位置する部分に、上下方向の伸縮を可能にする襞が形成されていることを特徴とするマスク。
【請求項３】
請求項１または請求項２のマスクであって、
上記内側シートに、１つ、または２つの上記開口部が形成されていることを特徴とするマスク。
【請求項４】
フィルタ機能を有するマスクに接続されるマスク用ノーズアダプタであって、
鼻孔に挿入される鼻孔挿入部と、
上記鼻孔挿入部に連通し、マスクに形成された開口部に接続される接続部とを有することを特徴とするマスク用ノーズアダプタ。
【請求項５】
請求項４のマスク用ノーズアダプタであって、
上記接続部は、上記開口部と嵌合するくびれ部を有していることを特徴とするマスク用ノーズアダプタ。
【請求項６】
請求項４または請求項５のマスク用ノーズアダプタであって、
上記接続部は、鼻孔挿入部と反対側の先端部側の外形が先細りのテーパー状に形成されていることを特徴とするマスク用ノーズアダプタ。
【請求項７】
請求項４から請求項６のうち何れか１項のマスク用ノーズアダプタであって、
２つの鼻孔挿入部と、１つの接続部とを有し、２つの鼻孔挿入部が１つの接続部に連通するか、または
２つの鼻孔挿入部と、２つの接続部とを有し、各鼻孔挿入部が、それぞれ独立して各接続部に連通していることを特徴とするマスク用ノーズアダプタ。
【請求項８】
請求項１から請求項３のうち何れか１項のマスクと、
請求項４から請求項７のうち何れか１項のマスク用ノーズアダプタとを有することを特徴とするマスクセット。
【発明の詳細な説明】
【技術分野】
【０００１】
本発明は、花粉や塵埃、ＰＭ２．５などの微小粒子状物質、ウィルスの吸入等を防止するためのマスクに関するものである。
【背景技術】
【０００２】
花粉やウィルスなどの吸引等を防止するために、通気性シートで口や鼻を覆う、いわゆる衛生マスクが用いられている。また、上記のような通気性シートと顔面との間に隙間があると、その隙間から花粉やウィルスなどが流入するため、それらの吸入を確実に防止することが困難である。一方、通気性シートと顔面との密着度が高いと、夏場などに蒸れたりして暑苦しくなりがちである。
【０００３】
そこで、フィルタ部材を鼻孔に挿入する鼻孔装着型マスクが提案されている（例えば、特許文献１参照。）。
【０００４】
また、鼻孔に挿入する鼻孔挿入部と、内部に抗菌剤含浸体などが充填された筒体とを有する鼻孔吸気具を備えたマスクが提案されている（例えば、特許文献２参照。）
【先行技術文献】
【特許文献】
【０００５】
【特許文献１】特開２００８−１８８３６７号公報
【特許文献２】特開平８−３０８９４７号公報
【発明の概要】
【発明が解決しようとする課題】
【０００６】
しかしながら、上記のような鼻孔装着型マスクや、鼻孔吸気具を備えたマスクは、通気部分の面積が小さいために、スムーズな呼吸をしにくいうえ、鼻水によって通気性が損なわれやすいため、呼吸するごとにピーピー鳴る音がしたりして実用に耐えない場合がある。
【０００７】
本発明は、かかる点に鑑みてなされたものであり、その目的は、花粉やウィルスなどの吸引等を効果的に防止しつつ、スムーズな呼吸をしやすく、また、夏場などに、吐いた息がマスクと顔の間に溜まって蒸れたりし、暑苦しくなるのを容易に防止可能なマスクを提供することにある。
【課題を解決するための手段】
【０００８】
第１の発明は、
フィルタ機能を有するマスクであって、
外側シートと、内側シートとが袋状に形成され、
上記外側シート、および内側シートの少なくとも一部が通気性を有するとともに、
上記内側シートに、上記袋状の内部と連通するノーズアダプタが接続される開口部が形成されていることを特徴とする。
【０００９】
これにより、上記マスクの開口部に、鼻孔に挿入し得るマスク用ノーズアダプタを接続すると、鼻孔を、マスク用ノーズアダプタを介して、マスクの外側シートと内側シートとの間に形成されるマスク内空間と連通させることができる。そこで、使用者が鼻で呼吸する場合には、呼気および吸気は、外側シートおよび／または内側シートの通気性を有する部分、マスク内空間、およびマスク用ノーズアダプタを介して流通することになる。それゆえ、花粉やウィルスなどの吸引等を効果的に防止しつつ、スムーズな呼吸をしやすくすることができる。
【００１０】
第２の発明は、
第１の発明のマスクであって、
上記内側シートは、マスクの装着時に上記開口部の上下に位置する部分に、上下方向の伸縮を可能にする襞が形成されていることを特徴とする。
【００１１】
これにより、外側シートと内側シートとの間を広げて、マスク用ノーズアダプタを接続しやすくすることができるとともに、そのようなマスク用ノーズアダプタが接続されたマスクを装着しやすくすることができる。
【００１２】
第３の発明は、
第１の発明または第２の発明のマスクであって、
上記内側シートに、１つ、または２つの上記開口部が形成されていることを特徴とする。
【００１３】
これにより、１対の鼻孔挿入部が１つのマスク接続部に連通したマスク用ノーズアダプタを接続することや、互いに独立した１対の鼻孔挿入部を有するマスク用ノーズアダプタを接続することができる。
【００１４】
第４の発明は、
フィルタ機能を有するマスクに接続されるマスク用ノーズアダプタであって、
鼻孔に挿入される鼻孔挿入部と、
上記鼻孔挿入部に連通し、マスクに形成された開口部に接続される接続部とを有することを特徴とする。
【００１５】
これにより、上記のようなマスクに接続可能なマスク用ノーズアダプタを得ることができる。
【００１６】
第５の発明は、
第４の発明のマスク用ノーズアダプタであって、
上記接続部は、上記開口部と嵌合するくびれ部を有していることを特徴とする。
【００１７】
これにより、マスク用ノーズアダプタとマスクの開口部との接続を確実にすることが容易にできる。
【００１８】
第６の発明は、
第４の発明または第５の発明のマスク用ノーズアダプタであって、
上記接続部は、鼻孔挿入部と反対側の先端部側の外形が先細りのテーパー状に形成されていることを特徴とする。
【００１９】
これにより、マスク用ノーズアダプタをマスクの開口部に挿入して接続することが容易にできる。
【００２０】
第７の発明は、
第４の発明から第６の発明のうち何れか１つのマスク用ノーズアダプタであって、
２つの鼻孔挿入部と、１つの接続部とを有し、２つの鼻孔挿入部が１つの接続部に連通するか、または
２つの鼻孔挿入部と、２つの接続部とを有し、各鼻孔挿入部が、それぞれ独立して各接続部に連通していることを特徴とする。
【００２１】
これにより、内側シートに１つの開口部が形成されたマスクや、２つの開口部が形成されたマスクに接続可能にすることができる。
【発明の効果】
【００２２】
本発明では、花粉やウィルスなどの吸引等を効果的に防止しつつ、スムーズな呼吸をしやすく、また、夏場などでも蒸れたりしにくいようにすることなども容易にできるマスクを提供することができる。
【図面の簡単な説明】
【００２３】
【図１】実施形態１のマスクの構造を示す背面図である。
【図２】実施形態１のマスクの構造を示す縦断面図である。
【図３】実施形態１のマスク用ノーズアダプタの構造を示す正面図である。
【図４】実施形態１のマスク用ノーズアダプタの構造を示す斜視図である。
【図５】実施形態１のマスクセットの構造を示す縦断面図である。
【図６】実施形態２のマスクの構造を示す背面図である。
【図７】実施形態２のマスク用ノーズアダプタの構造を示す斜視図である。
【発明を実施するための形態】
【００２４】
以下、本発明の実施形態を図面に基づいて詳細に説明する。なお、以下の各実施形態において、他の実施形態と同様の機能を有する構成要素については同一の符号を付して説明を省略する。
【００２５】
《発明の実施形態１》
実施形態１に係るマスクセットは、図１、図２に示すマスク１１０と、図３、図４に示すマスク用ノーズアダプタ１２０とから構成されている。
【００２６】
（マスク１１０の構成）
マスク１１０は、それぞれ例えば不織布から成る矩形状の外側シート１１１と内側シート１１２とが、周辺部の貼り合わせ部１１３で張り合わされて袋状に形成されている。内側シート１１２は、中央部付近に、マスク用ノーズアダプタ１２０を接続するための開口部１１４が形成されている。開口部１１４の周囲には、例えば内側シート１１２の表裏に補強部１１５が貼り付けられている。また、補強部１１５の周囲には、マスク用ノーズアダプタ１２０の少なくとも一部を覆って目立ちにくいようにするとともに、外側シート１１１に対して内側シート１１２を引っ張って間に隙間を空ける際に摘まみやすくするカバー部１１６が設けられている。内側シート１１２における、マスク１１０を装着したときに開口部１１３の上下に位置する部分には、上下方向の伸縮を可能にする襞１１７が設けられている。また、マスク１１０の側部には耳かけ紐１１８が設けられている。
【００２７】
（マスク用ノーズアダプタ１２０の構成）
マスク用ノーズアダプタ１２０は、例えばシリコンゴムなどのゴムや樹脂から成り、鼻孔に挿入される１対の鼻孔挿入部１２１と、これらを連結する連結部１２２と、上記鼻孔挿入部１２１が連通し、マスク１１０の開口部１１４に挿入されるマスク接続部１２３とを有している。鼻孔挿入部１２１の先端部は、鼻孔に挿入されたときに痛くないようにエッジが丸まった形状に形成されることが好ましい。マスク接続部１２３の鼻孔挿入部１２１側部分にはくびれ部１２４が形成され、マスク１１０の開口部１１４に嵌まり込み得るようになっている。ここで、上記くびれ部１２４は、例えば表面粗さを粗くすることによって、マスク１１０との接続が外れにくいようにしてもよい。また、マスク接続部１２３には例えば表面が滑らかなテーパー部１２５が形成され、マスク１１０の開口部１１４に挿入しやすくするようになっている。マスク接続部１２３の先端部には、凸部１２６が形成され、マスク接続部１２３の先端部とマスク１１０の外側シート１１１または内側シート１１２との間に隙間ができやすいようになっている。また、上記くびれ部１２４の鼻孔挿入部１２１側には、マスク用ノーズアダプタ１２０がマスク１１０の開口部１１４に入り込みすぎるのを防止する棒状の突起１２７が設けられている。なお、このような突起１２７は必ずしも設けなくてもよく、設ける場合でも、棒状に限らず、フランジ状や部分円弧状などでもよい。ただし、通常は、顔面の前後方向の寸法は小さい方がマスク１１０の張り出し量が小さく抑えられるので好ましい。
【００２８】
（マスクセットの使用例）
上記のようなマスク１１０、およびマスク用ノーズアダプタ１２０は、図５に示すように組み合わされたマスクセットとして使用される。すなわち、マスク１１０の開口部１１４にマスク用ノーズアダプタ１２０のマスク接続部１２３を挿入すると、開口部１１４の縁がマスク用ノーズアダプタ１２０のくびれ部１２４に嵌まり込んで比較的気密に接続される。そこで、マスク１１０を通常のマスクと同様に使用者の顔面に装着するとともに、マスク用ノーズアダプタ１２０の鼻孔挿入部１２１を、連結部１２２が鼻の下側に当たるまで鼻孔に挿入すると、鼻孔は、マスク用ノーズアダプタ１２０を介して、マスク１１０の外側シート１１１と内側シート１１２との間に形成されるマスク内空間１１９と連通する。そこで、使用者が鼻で呼吸する場合には、呼気および吸気は、外側シート１１１および／または内側シート１１２の通気性を有する部分、マスク内空間１１９、およびマスク用ノーズアダプタ１２０を介して流通することになる。
【００２９】
それゆえ、マスク１１０が、鼻の周囲や顎の部分などで顔面に密着していなくても、花粉やウィルスなどの吸入等は確実に防止される。しかも、外側シート１１１および／または内側シート１１２の通気性を有する部分の面積を大きくすることは比較的容易にできるので、通気抵抗を小さく抑えて、楽に呼吸できるようにすることができる。また、多少鼻水が出た場合でも、鼻孔装着型マスクのような通気経路の閉塞は生じにくいので、呼吸が妨げられたり、ピーピー音などが生じたりすることも容易に防止される。さらに、内側シート１１２の顔面側に呼気が直接吹き付けられないうえ、マスク１１０と顎との間に隙間が空いていても差し支えないので、吐いた息がマスクと顔の間に溜まって蒸れたり、結露によって湿った内側シート１１２が顔面に触れたりする不快感も容易に抑制し得る。また、鼻の周囲でマスク１１０との隙間から上昇する呼気でめがねが曇ったりすることも容易に抑制される。なお、マスク１１０と顔面とは、蒸れたりしにくい場合などには、密着したり隙間が小さくなるようにしたりしてもよい。
【００３０】
《発明の実施形態２》
上記実施形態１のように１対の鼻孔挿入部１２１が互いに連通する１つのマスク接続部１２３でマスク１１０に接続されるのに限らず、それぞれ別個にマスク１１０に接続されるようにしてもよい。すなわち、実施形態２のマスク１１０には、図６に示すように、２つの開口部１１４が形成されている。一方、マスク用ノーズアダプタ１３０は、図７に示すように、１対の鼻孔挿入部１３１が連結部１３２によって連結される点は実施形態１と同様だが、それぞれの下部は、互いに連通することなく、それぞれ別個に、くびれ部１３４、テーパー部１３５、凹部１３６、および突起１３７が形成されたマスク接続部１３３を有している。
【００３１】
上記のように構成される場合も、呼気および吸気は、外側シート１１１および／または内側シート１１２の通気性を有する部分、マスク内空間１１９、およびマスク用ノーズアダプタ１３０を介して流通するので、やはり、花粉やウィルスなどの吸入防止等の効果を得ることができる。
【００３２】
《その他の事項》
上記の例では、マスク用ノーズアダプタ１２０，１３０とマスク１１０との接続は、マスク用ノーズアダプタ１２０，１３０のくびれ部１２４，１３４がマスク１１０の開口部１１４に嵌まり込むことによって行われる例を示したが、これに限るものではなく、例えばマスク１１０の開口部１１４の周囲、またはマスク用ノーズアダプタ１２０，１３０に粘着部（シール部）を設けて接続するなどしてもよい。この場合、マスク用ノーズアダプタ１２０，１３０には、くびれ部１２４，１３４は必ずしも設けなくてもよく、また、くびれ部１２４，１３４と共に、またはこれに代えてフランジを設けたりしてもよい。
【００３３】
また、上記のようにマスク１１０の開口部１１４の近傍にカバー部１１６が設けられる場合には、例えばマスク１１０と顎との間に隙間がある場合などでも鼻孔挿入部１２１，１３１が見えにくいようにして見映えをよくすることができるとともに、開口部１１４に鼻孔挿入部１２１，１３１を接続する際に、カバー部１１６をつまみ上げて内側シート１１２を引っ張り上げ、外側シート１１１と内側シート１１２との間の隙間を広げやすくすることもできるが、内側シート１１２を引っ張り上げやすくするためには、カバー部１１６を設けるのに限らず、開口部１１４の近傍に舌状片を設けるなどしてもよい。
【００３４】
また、開口部１１４の位置は、マスク１１０の中央に限らず、例えば上下方向にずれた位置に形成されるなどしてもよい。
【００３５】
また、マスク１１０の形状は矩形に限らず、楕円形や円形、その他、顎などを包み込んだり顔面にフィットしやすいような形状などでもよい。
【００３６】
また、１対の鼻孔挿入部１２１，１３１は、必ずしも連結部１２２，１３２によって互いに互いに連結されていなくてもよいが、連結部１２２，１３２が適切な位置に設けられていれば、鼻孔挿入部１２１，１３１の鼻孔への挿入長さを規定することが容易にできる。
【００３７】
また、鼻孔への挿入長さを規定するためには、連結部１２２，１３２を設けるのに限らず、鼻孔の下端に当接するフランジや突起を鼻孔挿入部１２１，１３１に設けたりしてもよい。
【００３８】
また、マスク用ノーズアダプタ１３０（図７）のように１対の鼻孔挿入部１３１が、それぞれ別個にマスク１１０に接続される場合には、各鼻孔挿入部１３１を全く連結せずに別個の部材として用いてもよい。ただし、１対の鼻孔挿入部１２１，１３１が連結される場合には、部材の弾力性等によって互いに近づく方向の力を作用させることにより、鼻孔の間を挟むようにしてマスク用ノーズアダプタ１２０，１３０が抜けにくいようにすることが容易にできる。
【００３９】
また、１対の鼻孔挿入部１２１，１３１は、ハの字型に配置されるのに限らず、互いに平行に配置されるなどしてもよい。
【００４０】
また、鼻孔挿入部１２１，１３１における鼻孔に挿入される部分の太さは鼻孔に対応させる必要があるが、マスク１１０側の部分は、テーパー状や段階的に拡径したり、顔面の左右方向に扁平状に広がるなどして、通気がよりスムーズに行われやすいようにしたりしてもよい。
【００４１】
また、マスク用ノーズアダプタ１２０，１３０のマスク接続部１２３，１３３の端部に上記のような凸部１２６や凹部１３６が形成されるのに限らず、種々の凹凸などの端面形状や、側壁に開口部が形成されるなどして、マスク接続部１２３，１３３の端部等に外側シート１１１等が密着して通気経路が塞がれるのを防止できるような形状に形成されていればよい。
【００４２】
また、マスク用ノーズアダプタ１２０，１３０の外形は、上記に限らず、マスク１１０によって顔面に押し付けられたりしても、鼻孔や顔面に無理な力がかかって痛くないような形状に形成されることが好ましく、例えば顔面の側方から見たときに湾曲したり屈曲したりした形状を有するようにしてもよい。
【００４３】
また、マスク接続部１２３の開口方向は、上記のように鼻孔と同じ略下向きの方向に限らず、例えば鼻孔に略垂直な方向や斜めの方向、すなわちマスクセットを装着したときに顔面前方となる方向等に開口させるなどしてもよい。
【符号の説明】
【００４４】
１１０      マスク
１１１      外側シート
１１２      内側シート
１１３      開口部
１１３      貼り合わせ部部
１１４      開口部
１１５      補強部
１１６      カバー部
１１７      襞
１１８      耳かけ紐
１１９      マスク内空間
１２０      マスク用ノーズアダプタ
１２１      鼻孔挿入部
１２２      連結部
１２３      マスク接続部
１２４      くびれ部
１２５      テーパー部
１２６      凸部
１２７      突起
１３０      マスク用ノーズアダプタ
１３１      鼻孔挿入部
１３２      連結部
１３３      マスク接続部
１３４      くびれ部
１３５      テーパー部
１３６      凹部
１３７      突起
【図１】
2014111193.tif 000003
【図２】
2014111193.tif 000004
【図３】
2014111193.tif 000005
【図４】
2014111193.tif 000006
【図５】
2014111193.tif 000007
【図６】
2014111193.tif 000008
【図７】
2014111193.tif 000009